(57)【特許請求の範囲】
【請求項１】
板状の床スラブと、
該床スラブを支持する異なる梁せいで形成された一対の梁と、を備え、
各梁は、上下一対のフランジをウェブで連結してなるＨ形鋼として形成されており、
前記一対の梁は下端面を同一高さに位置づけられた状態で設けられ、
当該一対の梁に亘って前記床スラブが各梁の下フランジで支持されていることで第１の床部が形成されており、
当該第１の床部に、少なくとも最も高い梁の上端面と同じ高さ、または当該上端面よりも高い位置まで突出する支持部材が設置されていると共に、当該支持部材に置床が支持されていることで、前記第１の床部の上方に第２の床部が形成された二重床が形成されていることを特徴とする床支持構造。
【請求項２】
各梁の下フランジの上面に載置された状態で前記床スラブが架設されていることを特徴とする請求項１に記載の床支持構造。
【請求項３】
各梁の下フランジには対向する梁に向かって突出する床受け部材が設けられており、
前記床スラブは、一対の梁に支持される対向二端縁間の距離が当該一対の梁の端縁間の距離よりも小さい大きさに形成されており、且つ、対向する一方の端縁が一方の梁の床受け部材で支持されると共に、対向する他方の端縁が他方の梁の床受け部材で支持されていることを特徴とする請求項１に記載の床支持構造。
【請求項４】
前記梁のウェブと前記床スラブとの間の隙間にモルタルが充填されることで、当該梁と当該床スラブとが連結されていることを特徴とする請求項１〜３のいずれか一項に記載の床支持構造。
【請求項５】
一の床スラブの一方の側縁部に凹部が形成されると共に、当該一の床スラブに隣接する床スラブの他方の側縁部に前記凹部に対向する凹部が形成され、当該対向し合う凹部にこれら床スラブ間でのせん断力の伝達を可能とするコッタが埋設されていることを特徴とする請求項１〜４のいずれか一項に記載の床支持構造。
【請求項６】
前記床スラブは、
前記一対の梁間に架設される線状拘束材と、
一方の梁の下フランジに支持されて前記線状拘束材の一方の端部を連結する一方の固定金物と、
他方の梁の下フランジに支持されて前記線状拘束材の他方の端部を連結する他方の固定金物と、を備える剛床機構により前記梁に固設されていることを特徴とする請求項１〜５のいずれか一項に記載の床支持構造。
【発明の詳細な説明】
【技術分野】
【０００１】
本発明は、住宅等の建物の床支持構造に関する。
【背景技術】
【０００２】
鉄骨造の建物にあっては、スラブの構築方法としては、デッキプレートを使用する捨て型枠工法やＡＬＣ版等のプレキャストコンクリート板を梁間に架設し、これらの隙間にモルタル等を充填する工法が知られている。また、施工の容易性や建物の意匠や計画上の理由から設備の配管や配線を天井側でなく床側で行う工法も知られており、かかる工法としてフリーアクセスフロア工法（二重床工法）が知られている。
【０００３】
上記鉄骨造の建物のスラブに対し、フリーアクセスフロアを構築する工法としては、例えば特許文献１に示す如く、鉄骨梁間にプレキャストコンクリート版を架設し、当該プレキャストコンクリート版の上に多数の支持脚を立設し、当該支持脚上にフリーアクセスフロアパネルを敷設する工法が一般的である。
【先行技術文献】
【特許文献】
【０００４】
【特許文献１】特開平０６−２２９０４３号公報
【発明の概要】
【発明が解決しようとする課題】
【０００５】
しかしながら、上記特許文献１の構成においては、プレキャストコンクリート版からなるスラブ上に支持脚を設置してフリーアクセスフロアを形成する工法であるため、鉄骨梁の最下端から床上面までの大きさが大きくなってしまう。従って、当該フリーアクセスフロアを形成したフロアの天井高を狭めてしまうか、当該フロアの天井高を確保するために建物の階高が高くなってしまう問題がある。かかる問題を解決すべく、支持脚の高さを小さくすることが考えられるが、その場合、懐の大きさが小さくなって所望の配管、配線スペースを確保できなくなる虞がある。
【０００６】
本発明は、このような課題を解決するためになされたものであり、二重床を採用するフロアの天井高を確保しつつ、十分な床下空間を確保することができる床支持構造を提供することを目的とする。
【課題を解決するための手段】
【０００７】
本発明に係る床支持構造は、板状の床スラブと、該床スラブを支持する異なる梁せいで形成された一対の梁と、を備え、各梁は、上下一対のフランジをウェブで連結してなるＨ形鋼として形成されており、一対の梁は下端面を同一高さに位置づけられた状態で設けられ、当該一対の梁に亘って床スラブを各梁の下フランジで支持することで第１の床部を形成し、当該第１の床部に、少なくとも最も高い梁の上端面と同じ高さ、または当該上端面よりも高い位置まで突出する支持部材を設置すると共に、当該支持部材に置床を支持させることで、第１の床部の上方に第２の床部を形成した二重床を形成することを特徴とする。
【０００８】
本発明に係る床支持構造によれば、床スラブで形成される第１の床部と置床により形成される第２の床部との間の空間となる床下空間の高さを最も梁せいの大きい梁の梁せい程度に確保することができ、十分な配線空間を確保することができるものとなっている。また、このように梁が架設される高さ位置に床下空間を設ける構成としているので、置床を支持する支持部材の上端部の高さ位置は最もせいの高い梁の上端面と同一若しくは僅かに高い程度でよく、当該支持部材に置床を支持させることで当該第２の床部は最も梁せいの高い梁の上端面程度の高さとなる。これによって、その分だけ当該床支持構造の上方の居室（フロア）の天井高を高く設計することができる。或いは、梁間に床下空間を設ける構成とすることで建物全体としての高さを低く抑えることができるものとなる。
【０００９】
また、本発明に係る床支持構造において、各梁の下フランジの上面に載置された状態で床スラブが架設されていることが好ましい。これによれば、梁の下フランジの上面に床スラブを載置することが出来るので、極めて容易に梁の下端部で床スラブを支持する構成を形成することができるものとなる。また、互いの梁の高さが異なれば、梁せいの小さい方の梁側からこれら梁間に床スラブを斜めに入れることができ、これによって当該梁間への床スラブの設置が容易となる。
【００１０】
また、本発明に係る床支持構造において、各梁の下フランジには対向する梁に向かって突出する床受け部材が設けられており、床スラブは、一対の梁に支持される対向二端縁間の距離が当該一対の梁の端縁間の距離よりも小さい大きさに形成されており、且つ、対向する一方の端縁が一方の梁の床受け部材で支持されると共に、対向する他方の端縁が他方の梁の床受け部材で支持されていることが好ましい。これによれば、梁間に床スラブを真っ直ぐ落とし込むことで床スラブを各梁から突出する床受け部材上に設置することができ、施工の容易化が図られる。
【００１１】
また、本発明に係る床支持構造において、梁のウェブと床スラブとの間の隙間にモルタルが充填されることで、当該梁と当該床スラブとが連結されていることが好ましい。これによれば、梁と床スラブとの連結強度を高めることができると共に、地震等に伴う床スラブの振動（水平方向の動き）を著しく規制することができるものとなる。
【００１２】
また、本発明に係る床支持構造において、一の床スラブの一方の側縁部に凹部が形成されると共に、当該一の床スラブに隣接する床スラブの他方の側縁部に凹部に対向する凹部が形成され、当該対向し合う凹部にこれら床スラブ間でのせん断力の伝達を可能とするコッタが埋設されていることが好ましい。これによれば、隣接する床スラブ間でせん断力を伝達することができるものとなり、複数の床スラブの一体化が図られ、床スラブ材としての剛性を高めることができるものとなっているのである。
【００１３】
また、本発明に係る床支持構造において、床スラブは、一対の梁間に架設される線状拘束材と、一方の梁の下フランジに支持されて線状拘束材の一方の端部を連結する一方の固定金物と、他方の梁の下フランジに支持されて線状拘束材の他方の端部を連結する他方の固定金物と、を備える剛床機構により梁に固設されていることが好ましい。これによれば、床スラブと梁との固定度をさらに高めることができると共に、床スラブの水平剛性を高め、これによって床スラブと梁とで構成される当該床全体の剛性を高めることができるものとなっているのである。
【発明の効果】
【００１４】
本発明によれば、二重床を採用するフロアの天井高を確保しつつ、十分な床下空間を確保することができる。
【図面の簡単な説明】
【００１５】
【図１】本発明の実施形態に係る床支持構造が適用される建物の斜視図である。
【図２】図１の建物の２階部分を示す断面図である。
【図３】本発明の実施形態に係る床支持構造の断面図である。
【図４】変形例に係る床支持構造の断面図である。
【図５】変形例に係る床支持構造の断面図である。
【図６】図５に示す床支持構造の床スラブを上方から見た図である。
【図７】床スラブの設置方法を説明するための断面図である。
【発明を実施するための形態】
【００１６】
以下、本発明の好適な実施形態について図面を参照しながら説明する。
【００１７】
（建物の全体構成）
図１及び図２に示されるように、本発明の実施形態に係る床構造が適用される建物１は、３階建ての住宅建物であって、梁３Ａ，３Ｂと柱４とからなる構造躯体２（図２参照）と、これら梁３Ａ，３Ｂや柱４等に支持されて各階の床を形成する各階床部５Ａ，５Ｂ，５Ｃと、梁３Ａ，３Ｂや柱４等に支持されて建物１の屋根を形成する屋根部６と、同じく梁３Ａ，３Ｂや柱４等に支持されて建物１の外皮を形成する外壁８とを備えている。なお、本実施形態に係る建物１では、適宜箇所に小梁３Ｚが設けられている箇所がある。
【００１８】
構造躯体２は、基礎から立ち上がる複数本（本実施形態においては８本）の柱４と、隣り合う柱４間に架設される複数本の梁３Ａ，３Ｂとを備えてなるいわゆるラーメン構造を構成している。
【００１９】
本実施形態に係る柱４は、建物１の１階下部から３階上部に亘って延設されており、各階を形成すべく所定高さに設定された梁接合部と、端部から梁接合部までを連絡する長尺状の部位、及び上下の各梁接合部間を連絡する長尺状の部位からなる一般部とを備えている。一般部は、公知の角形鋼管により形成されている。また、梁接合部は、梁３Ａ，３Ｂのせい（梁３Ａ，３Ｂの下端から上端までの高さ）と同程度の高さを有して四角筒状に形成されている。
【００２０】
梁３Ａ，３Ｂは、上下一対のフランジの中央部分をウェブにて連結してなるＨ型鋼により形成された梁本体と、梁本体の両端部に接合されて柱４の梁接合部に面接触するエンドプレートとを備えている。梁３Ａ，３Ｂは、エンドプレートが梁接合部に面接触して適宜にボルト結合される。
【００２１】
１階の床部５Ａは、所定寸法に形成される軽量気泡コンクリート（ＡＬＣ）製の複数枚の床スラブを基礎上に敷き並べて形成される。また、２階、及び３階の床部５Ｂ，５Ｃは、所定寸法に形成される軽量気泡コンクリート製の複数枚の床スラブ５ａと、これら複数枚の床スラブ５ａを構造力学的に一体化させる公知の剛床機構とを備えており、複数枚の床スラブ５ａは適宜に梁３Ａ，３Ｂに支持されている。
【００２２】
屋根部６（図１参照）は、所定寸法に形成される軽量気泡コンクリート製の複数枚の屋根パネル６ａを備えている。また、屋根部６としては、水平に屋根パネル６ａを敷設してなる陸屋根部６Ａと、陸屋根部６Ａと建物１の外壁８とを連結する傾斜屋根部６Ｂとの二種類の態様が設けられている。
【００２３】
外壁８は、一般に所定寸法に形成された軽量気泡コンクリート製の複数枚の外壁パネル９Ａ，９Ｂによって形成され、各外壁パネル９Ａ，９Ｂは、いわゆるロッキング工法（「ロッキング機構」ともいう）により上下両端部が梁３Ａ，３Ｂに、または梁３Ａ，３Ｂと基礎とに保持されている。また、外壁パネル９Ａ，９Ｂの内側には断熱材が沿設されており、断熱材の内側には内装材を支持する内装下地が設けられている。
【００２４】
次に、本発明の実施形態に係る床支持構造１００について詳細に説明する。この床支持構造１００は、上述の建物１においては、例えば、二階または三階の床に対して適用される。図３に示すように、床支持構造１００は、板状の床スラブ１０Ａ，１０Ｂによって形成される第１の床部２０と、当該床スラブ１０Ａ，１０Ｂを支持する梁３０Ａ，３０Ｂ，３０Ｃと、第１の床部２０に設置される支持部材４０Ａ，４０Ｂと、梁３０Ａ，３０Ｂ，３０Ｃの下側に設けられる天井部５０と、梁３０Ａ，３０Ｂ，３０Ｃの上方に形成される第２の床部６０と、を備えている。このように、床支持構造１００では、第１の床部２０と第２の床部６０を有することによって、二重床が形成されている。床支持構造１００の梁３０Ａ，３０Ｂ，３０Ｃは、異なる梁せいで形成された梁である。このように異なる梁せいの梁で構成される床支持構造１００は、例えば、同じフロア内において、高い構造強度を確保したい領域と高い構造強度が要求されない領域が隣接する場合に適用される。すなわち、高い構造強度を確保する領域には大きい梁せいの梁を適用することで梁の強度を高くし、高い強度が要求されない領域には小さい梁せいの梁を適用することで部材の重量を軽くすることができる。なお、図３は、本発明の構成を理解し易くするために、梁間の間隔を短小化して示した図であり、当該間隔は実際とは若干異なる。後述の図４〜７についても同様である。
【００２５】
梁３０Ａ，３０Ｂ，３０Ｃは、上下一対のフランジ３１，３２をウェブ３３で連結してなるＨ形鋼として形成されている。図においては、紙面左右方向における左側から右側に向かって梁３０Ａ、梁３０Ｂ、梁３０Ｃの順番で互いに所定の間隔を空けて配置されている。梁３０Ａ，３０Ｂ，３０Ｃは、柱（図１〜３における柱４）間に架設されている。あるいは、梁３０Ａ，３０Ｂ，３０Ｃは、他の梁間に架設されていてもよい。梁３０Ａは、中央の梁３０Ｂよりも梁せいを小として形成されている。梁３０Ｃは、中央の梁３０Ｂよりも梁せいを大として形成されている。なお、梁せいは、梁３０Ａ，３０Ｂ，３０Ｃの上端面３０ａ（上フランジ３１の上面に該当）と、下端面３０ｂ（下フランジ３２の下面に該当）との間の寸法によって規定される。例えば、梁３０Ｂとして、建物１に対して適用される標準寸法の梁を適用し、梁３０Ａとして、標準寸法に係る梁よりも梁せいの小さい梁を適用し、梁３０Ｃとして、標準寸法に係る梁よりも梁せいの大きい梁を適用することができる。
【００２６】
梁３０Ａは、その下端面３０ｂを中央の梁３０Ｂの下端面３０ｂと同じ高さ位置として、架設されている。梁３０Ａの上端面３０ａは、中央の梁３０Ｂの上端面３０ａよりも低い位置に配置される。梁３０Ｃは、その下端面３０ｂを中央の梁３０Ｂの下端面３０ｂと同じ高さ位置として、架設されている。梁３０Ｃの上端面３０ａは、中央の梁３０Ｂの上端面３０ａよりも高い位置に配置されている。
【００２７】
同一の高さ位置に設定された梁３０Ａの下端面３０ｂ、基準梁３０Ｂの下端面３０ｂ、及び梁３０Ｃの下端面３０ｂに対して天井部５０が設けられている。天井部５０は、天井吊金物５１、天井下地５２、及び天井５３で構成されている。具体的には、各梁３０Ａ，３０Ｂ，３０Ｃの下端面３０ｂに天井吊金物５１が設けられ、当該天井吊金物５１の下面に天井下地５２が設けられ、当該天井下地５２の下面に天井５３が形成される。各梁３０Ａ，３０Ｂ，３０Ｃの下端面３０ｂが同一の高さ位置に設定されているため、各梁に同一規格の天井吊金物５１及び天井下地５２を取り付けることで当該天井下地５２の下端面は同一の高さ位置となり、当該天井下地５２の下端面に固定される天井部５０は、水平な状態となる。
【００２８】
梁３０Ａ，３０Ｂ，３０Ｃの下フランジ３２で支持されることによって第１の床部２０が形成されている。第１の床部２０は、梁３０Ａ，３０Ｂに亘って当該梁３０Ａ，３０Ｂの下フランジ３２で支持される床スラブ１０Ａと、梁３０Ｂ，３０Ｃに亘って当該梁３０Ｂ，３０Ｃの下フランジ３２で支持される床スラブ１０Ｂと、当該床スラブ１０Ａ，１０Ｂの周りに充填される充填材２１，２２，２３によって構成される。具体的には、梁３０Ａと梁３０Ｂとの間に床スラブ１０Ａが水平に架設されており、床スラブ１０Ａは、梁３０Ｂの下フランジ３２の上面３２ａで側縁部１０ｃ側の一方の端部の下面１０ｂを支持され、梁３０Ａの下フランジ３２の上面３２ａで側縁部１０ｄ側の他方の端部の下面１０ｂを支持される。床スラブ１０Ｂは、梁３０Ｂの下フランジ３２の上面３２ａで側縁部１０ｃ側の一方の端部の下面１０ｂを支持され、梁３０Ｃの下フランジ３２の上面３２ａで側縁部１０ｄ側の他方の端部の下面１０ｂを支持される。
【００２９】
床スラブ１０Ａの長さ（側縁部１０ｃと側縁部１０ｄとの間の寸法）は、梁３０Ａの下フランジ３２と梁３０Ｂの下フランジ３２の互いに対向する端縁３２ｂ間の寸法（上フランジ３１の対向する端縁３１ｂ間の寸法と等しい）より大きく、梁３０Ａのウェブ３３と梁３０Ｂのウェブ３３の間の寸法より小さい。床スラブ１０Ｂの長さ（側縁部１０ｃと側縁部１０ｄとの間の寸法）は、梁３０Ｃの下フランジ３２と梁３０Ｂの下フランジ３２の互いに対向する端縁３２ｂ間の寸法（上フランジ３１の対向する端縁３１ｂ間の寸法と等しい）より大きく、梁３０Ｃのウェブ３３と梁３０Ｂのウェブ３３の間の寸法より小さい。例えば、図７（ａ）に示すように、床スラブ１０Ａの長さをＬ１とし、梁３０Ａの上フランジ３１と梁３０Ｂの上フランジ３１の対向する端縁３１ｂ間の寸法をＬ２とした場合、Ｌ２＜Ｌ１の関係が成り立つ。
【００３０】
梁３０Ａの下フランジ３２の上面３２ａの上側においては、床スラブ１０Ａの側縁部１０ｄと梁３０Ａのウェブ３３との間に充填材２１が充填されている。また、梁３０Ｂの下フランジ３２の上面３２ａの上側においては、床スラブ１０Ａの側縁部１０ｃと梁３０Ｂのウェブ３３との間、及び床スラブ１０Ｂの側縁部１０ｃと梁３０Ｂのウェブ３３との間に、充填材２２が充填されている。また、梁３０Ｃの下フランジ３２の上面３２ａの上側においては、床スラブ１０Ｂの側縁部１０ｄと梁３０Ｃのウェブ３３との間に、充填材２３が充填される。充填材２１，２２，２３としてモルタルが用いられる。
【００３１】
第１の床部２０には、少なくとも最も高い梁３０Ｃの上端面３０ａと同じ高さまで突出する支持部材４０Ａ，４０Ｂが設置されている。具体的に、支持部材４０Ａ，４０Ｂは、第２の床部６０を支持する束によって構成されており、第２の床部６０を支持する上プレート４１と、第１の床部２０上に設けられる下プレート４２と、上下方向に延びて上プレート４１及び下プレート４２同士を連結する柱部４３と、を備えている。支持部材４０Ａは、下プレート４２の下端面４０ｂが床スラブ１０Ａ上に載置されており、上プレート４１の上端面（上端部）４０ａが最も高い梁３０Ｃの上端面３０ａと同じ高さとなるように配置されている。支持部材４０Ｂは、下プレート４２の下端面４０ｂが床スラブ１０Ｂ上に載置されており、上プレート４１の上端面４０ａが最も高い梁３０Ｃの上端面３０ａと同じ高さとなるように配置されている。なお、支持部材４０Ａ，４０Ｂの上端面４０ａは、梁３０Ｃの上端面３０ａよりも高い位置まで突出してもよい。
【００３２】
第２の床部６０は、支持部材４０Ａ，４０Ｂに置床６１を支持させることによって、第１の床部２０の上方に形成される。置床６１は、その下面６１ａが支持部材４０Ａ，４０Ｂの上プレート４１の上端面４０ａ上に載置される。また、本実施形態では、置床６１の下面６１ａは最も高い梁３０Ｃの上端面３０ａ上にも載置されている。ただし、支持部材４０Ａ，４０Ｂの上端面４０ａが、梁３０Ｃの上端面３０ａよりも高い位置まで突出している場合は、梁３０Ｃの上端面３０ａは、置床６１の下面６１ａから離間する。梁３０Ｃよりも梁せいの小さい梁３０Ａ，３０Ｂの上端面３０ａは、置床６１の下面６１ａから離間する。
【００３３】
次に、本実施形態に係る床支持構造１００の作用・効果について説明する。
【００３４】
本実施形態に係る床支持構造１００によれば、床スラブ１０Ａ，１０Ｂで形成される第１の床部２０と置床６１により形成される第２の床部６０との間の空間となる床下空間ＳＰの高さを最も梁せいの大きい梁３０Ｃの梁せい程度に確保することができ、十分な配線空間を確保することができるものとなっている。また、このように梁３０Ａ，３０Ｂ，３０Ｃが架設される高さ位置に床下空間ＳＰを設ける構成としているので、置床６１を支持する支持部材４０Ａ，４０Ｂの上端面４０ａの高さ位置は最もせいの高い梁３０Ｃの上端面３０ａと同一（ただし、支持部材４０Ａ，４０Ｂが梁３０Ｃの上端面３０ａより上方に突出している場合は、僅かに高い程度）でよく、当該支持部材４０Ａ，４０Ｂに置床６１を支持させることで当該第２の床部６０は最も梁せいの高い梁３０Ｃの上端面３０ａ程度の高さとなる。これによって、その分だけ当該床支持構造１００の上方の居室（フロア）の天井高を高く設計することができる。或いは、梁間に床下空間ＳＰを設ける構成とすることで建物１全体としての高さを低く抑えることができるものとなる。
【００３５】
また、本実施形態に係る床支持構造１００において、各梁３０Ａ，３０Ｂ，３０Ｃの下フランジ３２の上面３２ａに載置された状態で床スラブ１０Ａ，１０Ｂが架設されている。これによれば、梁３０Ａ，３０Ｂ，３０Ｃの下フランジ３２の上面３２ａに床スラブ１０Ａ，１０Ｂを載置することが出来るので、極めて容易に梁３０Ａ，３０Ｂ，３０Ｃの下端部で床スラブ１０Ａ，１０Ｂを支持する構成を形成することができるものとなる。
【００３６】
また、天井下地５２を介して各梁に支持される天井部５０も、同一規格の天井吊金物５１及び天井下地５２を介して各梁に支持されることなり、地震時等振動が発生する場合であっても、部位（領域）に関わらずいずれの天井部５０の固有周期は同一となり、これによって、天井部５０は一様に振動して局部破壊を回避することができるものとなっている。
【００３７】
また、互いの梁３０Ａ，３０Ｂ，３０Ｃの高さが異なれば、梁間に床スラブ１０Ａ，１０Ｂを斜めに入れることができ、これによって当該梁間に床スラブ１０Ａ，１０Ｂを容易に入れ込むことができる。例えば、図７（ａ）において、仮想線で示すように、梁３０Ａの梁せいが梁３０Ｂと同一であった場合、上フランジ３１の端縁３１ｂ間の寸法Ｌ２よりも大きい長さＬ１を有する床スラブ１０Ａを梁３０Ａ，３０Ｂ間に入れる際、同一高さに配置された梁３０Ａの上フランジ３１及び梁３０Ｂの上フランジ３１と干渉しないように、床スラブ１０Ａを大きく傾斜させる必要があり作業が困難となる。一方、本実施形態のように、梁３０Ａの上端面３０ａの高さ位置が梁３０Ｂの上端面３０ａよりも低い場合、床スラブ１０Ａの傾斜を小さくしても梁３０Ａ，３０Ｂ間に入れ込むことができるため、作業を容易に行うことが可能となる。また、これら梁３０Ａ，３０Ｂの梁せいの高さの差が床スラブ１０Ａの厚さよりも大きい場合、梁せいの小さい梁３０Ａ側から梁せいの大きい梁３０Ｂ側に向けて床スラブ１０Ａを水平状に送り込みつつこれら梁間に床スラブ１０Ａを設置することができ、より床スラブ設置の作業効率や安全性を高めることができる。
【００３８】
また、本実施形態に係る床支持構造１００において、梁３０Ａ，３０Ｂ，３０Ｃのウェブ３３と床スラブ１０Ａ，１０Ｂとの間の隙間にモルタルからなる充填材２１，２２，２３が充填されることで、当該梁３０Ａ，３０Ｂ，３０Ｃと当該床スラブ１０Ａ，１０Ｂとが連結されている。これによれば、梁３０Ａ，３０Ｂ，３０Ｃと床スラブ１０Ａ，１０Ｂとの連結強度を高めることができると共に、地震等に伴う床スラブ１０Ａ，１０Ｂの振動（水平方向の動き）を著しく規制することができるものとなる。
【００３９】
本発明は、上述の実施形態に限定されるものではない。
【００４０】
上述の実施形態では、梁せいの異なる梁を有する床支持構造の一例を示したが、梁の順序や種類や本数は特に限定されない。例えば、上述の実施形態では三種類の高さに係る梁を用いたが、二種類の高さに係る梁のみを用いてもよく、四種類以上の高さに係る梁を用いてもよい。また、床受け部材は、両方の梁に設けるのみならず、一方の梁にのみ設ける構成を採用することもできる。
【００４１】
また、図４に係る床支持構造２００を採用してもよい。図４に示す床支持構造２００では、各梁３０Ａ，３０Ｂ，３０Ｃの下フランジ３２には床受け部材７０が設けられている。床受け部材７０は、各梁３０Ａ，３０Ｂ，３０Ｃの延在方向に沿って延びるプレート状の部材である。梁３０Ａの下フランジ３２における対向する梁３０Ｂ側に突出する部分の上面３２ａには、当該対向する梁３０Ｂに向かって突出する床受け部材７０が設けられている。梁３０Ｂの下フランジ３２における対向する梁３０Ａ側に突出する部分の上面３２ａには、当該対向する梁３０Ａに向かって突出する床受け部材７０が設けられている。梁３０Ｃの下フランジ３２における対向する梁３０Ｂ側に突出する部分の上面３２ａには、当該対向する梁３０Ｂに向かって突出する床受け部材７０が設けられている。梁３０Ｂの下フランジ３２における対向する梁３０Ｃ側に突出する部分の上面３２ａには、当該対向する梁３０Ｃに向かって突出する床受け部材７０が設けられている。
【００４２】
また、図４に示す床支持構造２００では、床スラブ１０Ａは、梁３０Ａ，３０Ｂに支持される対向二端縁間の距離、すなわち側縁部（端縁）１０ｃと側縁部（端縁）１０ｄとの間の寸法が当該梁３０Ａ，３０Ｂの対向する端縁間（上フランジ３１の端縁３１ｂ間、または下フランジ３２の端縁３２ｂ間）の距離よりも小さく、梁３０Ａのウェブ３３と梁３０Ｂのウェブ３３との間の寸法より大きい寸法に形成されている。且つ、床スラブ１０Ａは、対向する一方の側縁部１０ｃが一方の梁３０Ｂの床受け部材７０で支持されると共に、対向する他方の側縁部１０ｄが他方の梁３０Ａの床受け部材７０で支持されている。また、床スラブ１０Ｂは、梁３０Ｃ，３０Ｂに支持される対向二端縁間の距離、すなわち側縁部（端縁）１０ｃと側縁部（端縁）１０ｄとの間の寸法が当該梁３０Ｃ，３０Ｂの対向する端縁間（上フランジ３１の端縁３１ｂ間、または下フランジ３２の端縁３２ｂ間）の距離よりも小さく、梁３０Ｃのウェブ３３と梁３０Ｂのウェブ３３との間の寸法より大きい寸法に形成されている。且つ、床スラブ１０Ｂは、対向する一方の側縁部１０ｃが一方の梁３０Ｂの床受け部材７０で支持されると共に、対向する他方の側縁部１０ｄが他方の梁３０Ｃの床受け部材７０で支持されている。例えば、図７（ｂ）に示すように、床スラブ１０Ａの長さをＬ１とし、梁３０Ａの上フランジ３１と梁３０Ｂの上フランジ３１の対向する端縁３１ｂ間の寸法をＬ２とした場合、Ｌ２＞Ｌ１の関係が成り立つ。
【００４３】
このような床支持構造２００の構成によれば、梁３０Ａ，３０Ｂ間に床スラブ１０Ａを真っ直ぐ落とし込むことで床スラブ１０Ａを各梁３０Ａ，３０Ｂから突出する床受け部材７０上に設置することができ、梁３０Ｃ，３０Ｂ間に床スラブ１０Ｂを真っ直ぐ落とし込むことで床スラブ１０Ｂを各梁３０Ｃ，３０Ｂから突出する床受け部材７０上に設置することができ、施工の容易化が図られる。例えば、図７（ｂ）に示すように、床スラブ１０Ａの長さ寸法Ｌ１が梁３０Ａの上フランジ３１と梁３０Ｂの上フランジ３１の対向する端縁３１ｂ間の寸法Ｌ２よりも小さいため、床スラブ１０Ａを傾斜させることなく、水平な状態で真っ直ぐに落とし込むことによって梁３０Ａ，３０Ｂ間に入れ込むことができる。これら梁間に落とし込んだ床スラブ１０Ａは、各床受け部材７０で支持される。これによって、床スラブ１０Ａの設置の際の施工の容易化が図られると共に、設置安全性も向上する。
【００４４】
また、図５に係る床支持構造３００を採用してもよい。図５に示す床支持構造３００では、第１の床部２０の剛性を高めるための構造が採用されている。具体的には、図５及び図６（ａ）に示すように、床スラブ１０Ａ，１０Ｂが剛床機構８０により梁３０Ａ，３０Ｂ，３０Ｃに固設されている。床スラブ１０Ａに対して設けられる剛床機構８０は、梁３０Ａ，３０Ｂ間に架設される線状拘束材８２と、梁３０Ａの下フランジ３２上の床受け部材７０に設けられて線状拘束材８２の梁３０Ａ側の端部を連結する固定金物８１と、梁３０Ｂの下フランジ３２上の床受け部材７０に設けられて線状拘束材８２の梁３０Ｂ側の端部を連結する固定金物８１と、を備えている。床スラブ１０Ｂに対して設けられる剛床機構８０は、梁３０Ｃ，３０Ｂ間に架設される線状拘束材８２と、梁３０Ｃの下フランジ３２上の床受け部材７０に設けられて線状拘束材８２の梁３０Ｃ側の端部を連結する固定金物８１と、梁３０Ｂの下フランジ３２上の床受け部材７０に設けられて線状拘束材８２の梁３０Ｂ側の端部を連結する固定金物８１と、を備えている。
【００４５】
具体的には、図６（ａ）に示すように、床スラブ１０Ａ，１０Ｂの幅方向の側縁部１０ｅは、幅方向に隣り合う他の床スラブ１０Ａ，１０Ｂの側縁部１０ｅと突き合わせられるように設けられており、各側縁部１０ｅには、線状拘束材８２を配置するための溝部が形成されるように、上面１０ａ側に沿って切欠きが設けられている。当該溝部に線状拘束材８２が配置される。また、各側縁部１０ｅを突き合わせた部分における各側縁部１０ｃには、固定金物８１を配置するための凹部が形成され、各側縁部１０ｄには、固定金物８１を配置するための凹部が形成されている。当該凹部にそれぞれの固定金物８１が配置される。固定金物８１は矩形筒状の金物であり、互いに対向する対向壁部８３ａに線状拘束材８２のそれぞれの端部が固定されている。固定金物８１の内部には充填材８３が充填されており、線状拘束材８２が配置されている溝部にも充填材８４が充填されている。
【００４６】
このように、床支持構造３００では、床スラブ１０Ａ，１０Ｂが剛床機構８０により梁３０Ａ，３０Ｂ，３０Ｃに固設されている。これによれば、床スラブ１０Ａ，１０Ｂと梁３０Ａ，３０Ｂ，３０Ｃとの固定度をさらに高めることができると共に、床スラブ１０Ａ，１０Ｂの水平剛性を高め、これによって床スラブ１０Ａ，１０Ｂと梁３０Ａ，３０Ｂ，３０Ｃとで構成される当該第１の床部２０全体の剛性を高めることができるものとなっているのである。
【００４７】
また、図６（ｂ）に示すように、床支持構造３００は、コッタ８７を埋設することによって第１の床部２０の剛性が高められている。具体的には、一の床スラブ１０Ａ，１０Ｂの一方の側縁部１０ｅに凹部８６ａが形成されると共に、当該一の床スラブ１０Ａ，１０Ｂに隣接する床スラブ１０Ａ，１０Ｂの他方の側縁部１０ｅに前述の凹部８６ａに対向する凹部８６ｂが形成され、当該対向し合う凹部８６ａ，８６ｂにこれら床スラブ１０Ａ，１０Ｂ間でのせん断力の伝達を可能とするコッタ８７が埋設されている。本実施形態では、凹部８６ａ，８６ｂによって略円柱状の孔が形成され当該孔に円柱状のコッタ８７が埋設されているが、特に形状は限定されず四角柱状や六角柱状のものを採用してもよい。これによれば、隣接する床スラブ１０Ａ，１０Ｂ間でせん断力を伝達することができるものとなり、複数の床スラブ１０Ａ，１０Ｂの一体化が図られ、床スラブ材としての剛性を高めることができるものとなっているのである。
【符号の説明】
【００４８】
１０Ａ，１０Ｂ…床スラブ、２０…第１の床部、３０Ａ，３０Ｂ，３０Ｃ…梁、３１…上フランジ、３２…下フランジ、３３…ウェブ、６０…第２の床部、６１…置床、７０…床受け部材、８０…剛床機構、８１…固定金物、８２…線状拘束材、８６ａ，８６ｂ…凹部、８７…コッタ、１００，２００，３００…床支持構造。
【図１】
0006027341.tif 000002
【図２】
0006027341.tif 000003
【図３】
0006027341.tif 000004
【図４】
0006027341.tif 000005
【図５】
0006027341.tif 000006
【図６】
0006027341.tif 000007
【図７】
0006027341.tif 000008